(57)【要約】【課題】リード線の回転子等との接触によるダメージを防止することができ、しかも余計な部品を必要とせず、構成の複雑化やコスト上昇を抑制することができる電動モータおよびそれを用いた電動圧縮機を提供することを目的とする。【解決手段】固定子鉄心１０に絶縁性ボビン１１を介して巻装された巻線１２によりコイル部１３が形成され、そのコイル部１３から密封端子に接続されるリード線１４が延長されている固定子６を備えた電動モータ４において、絶縁性ボビン１１に、リード線１４の回転子７側への移動を規制するガイド部１５が一体に設けられている。【選択図】図１
2013146157.tif 000002
【特許請求の範囲】
【請求項１】
固定子鉄心に絶縁性ボビンを介して巻装された巻線によりコイル部が形成され、そのコイル部から密封端子に接続されるリード線が延長されている固定子を備えた電動モータにおいて、
前記絶縁性ボビンに、前記リード線の回転子側への移動を規制するガイド部が一体に設けられていることを特徴とする電動モータ。
【請求項２】
前記ガイド部は、前記絶縁性ボビンのティース部から軸線方向外方に延長されていることを特徴とする請求項１に記載の電動モータ。
【請求項３】
前記ガイド部は、モータ収容ケースの一端を密封するケースの端面に近接する位置まで延長され、その隙間を前記リード線が通過不能とされていることを特徴とする請求項１または２に記載の電動モータ。
【請求項４】
前記ガイド部は、前記リード線が渡り配線される範囲に配設されている少なくとも１つの前記絶縁性ボビンに設けられていることを特徴とする請求項１ないし３のいずれかに記載の電動モータ。
【請求項５】
密閉されたケース内に、圧縮機構と電動モータとが一体に結合された状態で内蔵されている電動圧縮機において、
前記電動モータが、請求項１ないし４のいずれかに記載の電動モータとされていることを特徴とする電動圧縮機。
【発明の詳細な説明】
【技術分野】
【０００１】
本発明は、電動圧縮機に用いる電動モータ（ハーメチックモータ）およびそれを用いた電動圧縮機に関するものである。
【背景技術】
【０００２】
電動圧縮機等に用いられる、いわゆるハーメチックモータにおいては、モータ収容ケース内に内蔵されている電動モータの固定子巻線に対し、モータ収容ケースを貫通して設置される密封端子を介して外部から電力を供給している。このため、モータ収容ケース内において、巻線の巻装により形成される固定子のコイル部から延長されるリード線を密封端子に対して接続配線する必要がある。このリード線は、密封端子と接続した後、一部が固定子端部とケースとの間でフリー状態となり、そのフリー部分が回転子等と接触し、リード線の被膜にダメージを与え、短絡が発生する場合があった。
【０００３】
そこで、リード線を固定子側のボビン等の絶縁部材に対して、結束部材を用いて結束するようにしたもの、あるいは特許文献１に示されるように、リード線を保持するための保持部材を、固定子の軸方向端部にロック機構を介して着脱自在に設置したもの等が提供されている。
【先行技術文献】
【特許文献】
【０００４】
【特許文献１】特開２００７−１８１３３２号公報
【発明の概要】
【発明が解決しようとする課題】
【０００５】
しかしながら、結束部材を用いてリード線を結束するものは、作業性が悪く、組み立て性が大幅に低下してしまう等の問題があった。また、特許文献１に示すように、リード線を保持する保持部材を固定子端部にロック機構を介して着脱自在に設置したものは、保持部材やロック機構が必要であり、部品点数が増加し、構成が複雑化するとともに、コストアップとなることは避けられない等の課題があった。
【０００６】
本発明は、このような事情に鑑みてなされたものであって、リード線の回転子等との接触によるダメージを防止することができ、しかも余計な部品を必要とせず、構成の複雑化やコスト上昇を抑制することができる電動モータおよびそれを用いた電動圧縮機を提供することを目的とする。
【課題を解決するための手段】
【０００７】
上記した課題を解決するために、本発明の電動モータおよびそれを用いた電動圧縮機は以下の手段を採用する。
すなわち、本発明にかかる電動モータは、固定子鉄心に絶縁性ボビンを介して巻装された巻線によりコイル部が形成され、そのコイル部から密封端子に接続されるリード線が延長されている固定子を備えた電動モータにおいて、前記絶縁性ボビンに、前記リード線の回転子側への移動を規制するガイド部が一体に設けられていることを特徴とする。
【０００８】
本発明によれば、巻線を巻装してコイル部を形成する絶縁性ボビンに、リード線の回転子側への移動を規制するガイド部が一体に設けられているため、密封端子に接続されるリード線が固定子端面とモータ収容ケースとの間でフリー状態となったとしても、そのフリー部分の回転子側への移動を絶縁性ボビンに一体に設けられているガイド部により規制することができる。従って、リード線のフリー部分が回転子等との接触によってダメージを受け、短絡等の不具合が発生する事態を防ぐことができる。また、ガイド部が絶縁性ボビンと一体化されているため、余計な部品を追加する必要がなく、構造の複雑化やコストアップを抑制することができる。
【０００９】
さらに、本発明の電動モータは、上記の電動モータにおいて、前記ガイド部は、前記絶縁性ボビンのティース部から軸線方向外方に延長されていることを特徴とする。
【００１０】
本発明によれば、ガイド部が、絶縁性ボビンのティース部から軸線方向外方に延長されているため、ガイド部の軸線方向外方に延長されている部分によって、リード線がその内周側に位置する回転子等と接触する位置への移動を阻止することができる。従って、リード線のフリー部分が回転子等と接触することによるダメージを防止し、短絡等の発生を確実に防ぐことができる。
【００１１】
さらに、本発明の電動モータは、上述のいずれかの電動モータにおいて、前記ガイド部は、モータ収容ケースの一端を密封するケースの端面に近接する位置まで延長され、その隙間を前記リード線が通過不能とされていることを特徴とする。
【００１２】
本発明によれば、ガイド部が、モータ収容ケースの一端を密封するケースの端面に近接する位置まで延長され、その隙間をリード線が通過不能とされているため、仮にリード線がガイド部から外れる位置まで移動したとしても、ガイド部の先端とケースの端面との間の隙間を通過してリード線が回転子側に移動することはなく、従って、リード線と回転子等との接触を確実に阻止し、リード線のダメージを防止することができる。
【００１３】
さらに、本発明の電動モータは、上述のいずれかの電動モータにおいて、前記ガイド部は、前記リード線が渡り配線される範囲に配設されている少なくとも１つの前記絶縁性ボビンに設けられていることを特徴とする。
【００１４】
本発明によれば、ガイド部が、リード線が渡り配線される範囲に配設されている少なくとも１つの絶縁性ボビンに設けられているため、複数個設けられる絶縁性ボビンの全部にガイド部を設ける必要はなく、リード線が渡り配線される範囲に配設される少なくとも１つの絶縁性ボビンに対してガイド部を設けることによって、リード線の回転子側への移動を規制することができる。従って、構造変更を最小限とし、簡易にリード線と回転子等との接触によるダメージを防止することができる。
【００１５】
さらに、本発明にかかる電動圧縮機は、密閉されたケース内に、圧縮機構と電動モータとが一体に結合された状態で内蔵されている電動圧縮機において、前記電動モータが、上述のいずれかの電動モータとされていることを特徴とする。
【００１６】
本発明によれば、密閉されたケース内に、圧縮機構と電動モータとが一体に結合された状態で内蔵されている電動圧縮機において、電動モータが、上述のいずれかの電動モータとされているため、ケースを貫通する密封端子を介して電動モータの固定子に外部からの電力を供給するリード線が、回転子等と接触することによるダメージを防止することができる。従って、電動圧縮機の品質および信頼性の向上を図ることができる。
【発明の効果】
【００１７】
本発明の電動モータによると、密封端子に接続されるリード線が固定子端面とモータ収容ケースとの間でフリー状態となったとしても、そのフリー部分の回転子側への移動を絶縁性ボビンに一体に設けられているガイド部により規制することができるため、リード線のフリー部分が回転子等との接触によってダメージを受け、短絡等の不具合が発生する事態を防ぐことができる。また、ガイド部が絶縁性ボビンと一体化されているため、余計な部品を追加する必要がなく、構造の複雑化やコストアップを抑制することができる。
【００１８】
本発明の電動圧縮機によると、ケースを貫通する密封端子を介して電動モータの固定子に外部からの電力を供給するリード線が、回転子等と接触することによるダメージを防止することができるため、電動圧縮機の品質および信頼性の向上を図ることができる。
【図面の簡単な説明】
【００１９】
【図１】本発明の一実施形態に係る電動圧縮機の電動モータが内蔵されている部分の縦断面図である。
【図２】図１に示す電動モータの巻線を省略した状態の左側面視図である。
【図３】図２に示す電動モータの右側面視図である。
【発明を実施するための形態】
【００２０】
以下に、本発明の一実施形態について、図１ないし図３を参照して説明する。
図１には、本発明の一実施形態に係る電動圧縮機の電動モータが内蔵されている部分の縦断面図が示され、図２には、その左側面視図が示され、図３には、図２の右側面視図が示されている。
電動圧縮機１は、モータ収容ケース２、モータ収容ケース２の図示右側に結合される圧縮機用ケース（図示省略）およびモータ収容ケース２の図示左側に結合されるロアケース３を一体に結合したケース内に電動モータ４と、該電動モータ４によって駆動される図示省略の圧縮機構とが内蔵された構成とされている。
【００２１】
圧縮機構は、電動モータ４により回転軸５を介して駆動されるものであれば、如何なる形式の圧縮機構であってもよく、ここではその具体的構成についての説明は省略する。
電動モータ４は、固定子６と回転子７とから構成されるものであり、固定子６は、ボルト８等を介してモータ収容ケース２内に固定設置されている。回転子７は、固定子６の内周側に一定のギャップを隔て、回転軸５を介して回転自在に支持されている。
【００２２】
回転軸５は、一端がロアケース３側に設けられている軸受９によって回転自在に支持されており、他端側は圧縮機構側に設けられている軸受（図示省略）を介して回転自在に支持されるようになっている。この回転軸５の他端側には、圧縮機構の駆動部が設けられており、その駆動部を介して圧縮機構と連結され、電動モータ４の回転により圧縮機構が駆動されるように構成されている。
【００２３】
電動モータ４の固定子６は、電磁鋼板等を所定の形状に打抜いて成形した環状の板材を所定の枚数積層し、カシメ、溶接等により一体的に結合して構成される固定子鉄心１０を備えている。この固定子鉄心１０の内周面側には、円周上に等間隔で複数箇所に巻線スペースとなるスロットが設けられ、各スロット間の複数箇所にそれぞれティース部が形成された構成とされている。そして、この固定子鉄心１０の複数のティース部には、それぞれ樹脂製の絶縁性ボビン１１を介してＵ，Ｖ，Ｗ相の３相の固定子巻線（巻線）１２が巻装され、コイル部１３が形成されるようになっている。
【００２４】
コイル部１３を形成している３相の固定子巻線１２の一端側は、リード線１４としてコイル部１３から延長されており、他端側は中性点においてスター結線されている。コイル部１３から延長されているリード線１４は、ロアケース３の内端面と固定子６の一端面との間で形成される空間内において、絶縁性ボビン１１に巻装されて形成されているコイル部１３の外側に沿って、ロアケース３あるいはモータ収容ケース２の適所に貫通設置されている密封端子に接続されるべく配線されるようになっている。
【００２５】
このリード線１４は、密封端子に接続配線するための余裕長さを有しており、その部分がロアケース３の内端面と固定子６の一端面との間の空間内でフリー状態となり、回転子７側に落ち込む虞がある。そこで、本実施形態においては、リード線１４のフリー状態となった部分の回転子側への移動を規制するため、固定子巻線１２を巻装する絶縁性ボビン１１のティース部１１Ａに対して、軸線方向外方に延長されるようにガイド部１５を一体に成形している。
【００２６】
ガイド部１５は、図１に示されるように、ロアケース３の内端面に近接する位置まで延長されており、その隙間を十分小さくすることによってリード線１４が通過不能とし、該隙間からリード線１４が回転子７側に落ち込まないようにしている。また、このガイド部１５は、リード線１４が絶縁性ボビン１１に巻かれた固定子巻線１２によるコイル部１３の外側に沿って配線されるため、その渡り配線される範囲の絶縁性ボビン１１に設けるだけでよく、複数の絶縁性ボビン１１の全部に対して設ける必要はない。
【００２７】
本実施形態においては、図２に示されるように、１つの絶縁性ボビン１１のみにガイド部１５を設けた例が示されているが、リード線１４の渡り配線される範囲が複数の絶縁性ボビン１１に跨っている場合は、その複数の絶縁性ボビン１１にそれぞれガイド部１５を設け、回転子７側に落ち込まないようにすればよい。
【００２８】
以上の説明の構成により、本実施形態によれば、以下の作用効果を奏する。
電動圧縮機１において、電動モータ４は、モータ収容ケース２内に組み込まれ、圧縮機用ケース内に組み込まれた圧縮機構と回転軸５を介して連結されることにより、圧縮機構を駆動する。この電動モータ４の固定子６側から、リード線１４が絶縁性ボビン１１に巻装されたコイル部１３の外側に沿って延長されており、該リード線１４を図示省略の密封端子に接続することにより、外部からの電力がケースを貫通する密封端子を介して、その内部に内蔵されている電動モータ４の固定子６に給電される。
【００２９】
リード線１４は、密封端子に接続配線するため、一定の余裕長さを有しており、その部分が密封端子に接続後、ロアケース３の内端面と固定子６の一端面との間の空間内でフリー状態となる。しかるに、そのリード線１４のフリー部分の回転子７側への移動、落ち込みを、絶縁性ボビン１１のティース部１１Ａから軸線方向外方に延長されているガイド部１５によって規制することができる。
【００３０】
これによって、リード線１４のフリー部分が回転子７等と接触し、その被膜が破損される等のダメージを受け、短絡等の不具合が発生する事態を防ぐことができる。また、ガイド部１５が絶縁性ボビン１１のティース部１１Ａと一体成形されているため、余計な部品を追加する必要がなく、構造の複雑化やコストアップを抑制することができる。
【００３１】
特に、ガイド部１５は、モータ収容ケース２の一端を密封しているロアケース３の内端面に近接する位置まで延長されており、その隙間を十分に小さくしてリード線１４の通過を不能としている。このため、仮にリード線１４がガイド部１５から外れる位置まで移動したとしても、ガイド部１５の先端とロアケース３の内端面との間の隙間を通過してリード線１４が回転子７側に落ち込むことはなく、これによって、リード線１４と回転子７等との接触を確実に阻止し、リード線１４のダメージを防止することができる。
【００３２】
また、ガイド部１５は、リード線１４が渡り配線される範囲に配設されている少なくとも１つの絶縁性ボビン１１に対して設けられておればよく、複数個設けられる絶縁性ボビン１１の全部にガイド部１５を設ける必要はない。言い換えると、複数個の絶縁性ボビン１１のうち、リード線１４が渡り配線される範囲に対応して配設されている少なくとも１つの絶縁性ボビン１１に対してガイド部１５を設けることによって、リード線１５の回転子７側への移動を規制することができる。従って、構造変更を最小限とし、簡易にリード線１４と回転子７等との接触によるダメージを防止することができる。
【００３３】
さらに、本実施形態の如く、密閉されているケース２，３等の内部に、圧縮機構と電動モータ４とが一体に結合された状態で内蔵されている電動圧縮機１において、電動モータ４が、上述のように、固定子６側の絶縁性ボビン１１にリード線１４の移動を規制するガイド部１５を一体設けた電動モータ４とされ、ケース２，３等を貫通する密封端子を介して電動モータ４の固定子６に外部からの電力を供給するリード線１４が、回転子７等と接触することによるダメージを防止するようにしているため、電動圧縮機１の品質および信頼性を向上することができる。
【００３４】
なお、本発明は、上記実施形態にかかる発明に限定されるものではなく、その要旨を逸脱しない範囲において、適宜変形が可能である。例えば、上記実施形態では、回転子７とリード線１４との接触によるダメージについて説明したが、回転子７には、その端面にバランスウェイト等が取付けられることがあり、この場合、バランスウェイト等の装着物との接触も防止されることはもちろんである。
【００３５】
また、ガイド部１５については、成形性の面から、絶縁性ボビン１１のティース部１１Ａをそのまま軸線方向外方に延長して一体成形した構成とすることが望ましいが、一体成形する上であまり問題がないようであれば、その先端に半径方向外側への突起等を設けた構成としてもよい。さらに、ガイド部１５は、その断面を円形、矩形等、様々な形状とすることができるが、リード線１４の支持面を形成するため、所定幅の長方形断面形状とすることが望ましい。
【符号の説明】
【００３６】
１  電動圧縮機
２  モータ収容ケース（ケース）
３  ロアケース（ケース）
４  電動モータ
６  固定子
７  回転子
１０  固定子鉄心
１１  絶縁性ボビン
１１Ａ  ティース部
１２  固定子巻線（巻線）
１３  コイル部
１４  リード線
１５  ガイド部
【図１】
2013146157.tif 000003
【図２】
2013146157.tif 000004
【図３】
2013146157.tif 000005